(57)【要約】      （修正有）【課題】ヘアブラシで整髪する動作を利用して養毛も行える髪栄養供給部材を提供する。【解決手段】ヘアブラシ５０のブリッスル５５の挿通を許容し、ブリッスルの挿通後はそれらブリッスルの有効整髪部分を露出させた状態を保持するとともに髪と接触して絹のセリシン成分を供給する髪栄養供給部１１を設ける。加えて、髪栄養供給部によるヘアブラシのブリッスルの有効整髪部分長さを調節するスペーサーを設ける。【選択図】図２
2014023673.tif 000002
【特許請求の範囲】
【請求項１】
複数本のブリッスルが植設されたヘアブラシのベース面を覆うように装着される髪栄養供給部材であって、
前記ヘアブラシの各ブリッスルの挿通を許容し当該各ブリッスルの挿通後はそれら各ブリッスルの有効整髪部分を露出させた状態を保持するとともに当該髪と接触して絹のセリシン成分を供給する髪栄養供給部を備えたことを特徴とする髪栄養供給部材。
【請求項２】
前記髪栄養供給部による前記ヘアブラシの各ブリッスルの有効整髪部分長さを調節する調節手段を設けたことを特徴とする請求項１記載の髪栄養供給部材。
【請求項３】
前記髪栄養供給部が、所定方向に整列されかつ各両端部が結束された複数本の絹糸から形成されたことを特徴とする請求項１又は２記載の髪栄養供給部材。
【請求項４】
前記髪栄養供給部を全体的に前記ヘアブラシに係止する係止手段を設け、当該係止手段が平面ファスナから形成されたことを特徴とする請求項１〜３記載のうちいずれか１項に記載の髪栄養供給部材。
【発明の詳細な説明】
【技術分野】
【０００１】
本発明は、本発明は、髪を梳く際に当該髪に栄養を供給可能な髪栄養供給部材に関するものである。
【背景技術】
【０００２】
従来、毛髪が細くなる、腰がなくなる、数が減少するなどの頭皮および毛髪の衰えは、男女を問わず多くの人にとって悩みの種である。
【０００３】
そこで、従来から、多くの養毛剤や養毛方法が提案されている。なお、養毛には、育毛も含む（以下同様）。
【０００４】
例えば、下記の特許文献１には、ホホバオイルを主成分とするクレンジング剤を用いて、頭皮と毛穴をクレンジングするクレンジング工程と、頭皮と毛穴及び毛髪の汚れを落すシャンプー工程と、ヒノキチオールを主成分とする第１育毛剤を、頭皮全体に塗布する第１育毛処理工程と、ヒノキチオールを主成分とする第２育毛剤を、頭皮の特定部分に塗布する第２育毛処理工程と、ケラチンを主成分とするトリートメント剤を毛髪に塗布するトリートメント工程とからなる育毛システムが提案されている。
【先行技術文献】
【特許文献】
【０００５】
【特許文献１】特開平１１−０９２３３８号公報
【発明の概要】
【発明が解決しようとする課題】
【０００６】
ところで、従来の養毛剤や養毛方法の場合、手間と時間が掛かるものが多く、例えば、出勤前のように慌ただしい時間帯に実行するのが困難であるという不都合があった。
【０００７】
そこで、慌ただしい時間帯でも日常的に行われている整髪と一緒に養毛を行いたいという要請がある。
【０００８】
本発明は、上記の事情に鑑みてなされたもので、ヘアブラシで整髪する動作を利用して養毛も行える髪栄養供給部材を提供することを目的とする。
【課題を解決するための手段】
【０００９】
上記の課題を解決するために、本発明における請求項１の髪栄養供給部材は、複数本のブリッスルが植設されたヘアブラシのベース面を覆うように装着されるものであって、前記ヘアブラシの各ブリッスルの挿通を許容し当該各ブリッスルの挿通後はそれら各ブリッスルの有効整髪部分を露出させた状態を保持するとともに当該髪と接触して絹のセリシン成分を供給する髪栄養供給部を備えたことを特徴とするものである。
【００１０】
かかる構成であるので、ヘアブラシの各ブリッスルの有効整髪部分を用いて頭髪を梳いて整髪する際に、髪の毛と髪栄養供給部材とが摺接するので当該髪の毛に髪栄養供給部材から絹のセリシン成分が供給される。この際、髪の毛又は髪栄養供給部を水でぬらしておくと、より好適である。
【００１１】
すると、髪の毛の外側層を構成する複数のキューティクル同士の隙間からセリシン成分が当該毛の内層（コルテックス）へ浸透する。これにより、髪の毛は供給されたセリシンにより適度な水分を保つことになり、髪はハリ、コシがあり、艶をもつようになる。なおこの際、髪栄養供給部とヘアブラシの各ブリッスルとの間には強い摩擦力が発生しているので、髪栄養供給部がヘアブラシから脱落したり位置ずれしたりしてしまうようなことはない。
【００１２】
また、請求項２の発明は、請求項１の発明に加えて、前記髪栄養供給部による前記ヘアブラシの各ブリッスルの有効整髪部分長さを調節する調節手段を設けたことを特徴とする。
【００１３】
かかる構成であるので、請求項１の発明と同様な作用・効果を奏するとともに、頭髪の状態に合わせて当該頭髪と前記髪栄養供給部との接触の程度を加減することが一段と簡単に調節できる。
【００１４】
例えば、髪の毛が薄くなっている人の場合、前記ヘアブラシの各ブリッスルの有効整髪部分長さを短くして、より多数の髪栄養供給部が髪と摺接するように、当該髪栄養供給部の位置を調節手段を用いて調節するとよい。また、髪の毛の量が普通で整髪を重点的に行いたい人の場合、前記ヘアブラシの各ブリッスルの有効整髪部分長さを長くなるように前記髪栄養供給部の位置を調節手段を用いて調節するとよい。
【００１５】
請求項３の発明は、請求項１又は２の発明に加えて、前記髪栄養供給部が、所定方向に整列されかつ各両端部が結束された複数本の絹糸から形成されたことを特徴とする。
【００１６】
かかる構成であるので、請求項１又は２の発明と同様な作用・効果を奏するとともに、髪栄養供給部が、所定方向に整列されかつ各両端部が結束された複数本の絹糸から形成されているので、当該各絹糸は当該所定方向へ広範囲に亘って撓み変形可能である。
【００１７】
したがって、請求項１又は２の発明と同様な作用・効果を奏するとともに、髪栄養供給部に対するヘアブラシの各ブリッスルの挿通が一段と容易となり、当該髪栄養供給部のヘアブラシへの装着が一層容易となる。
【００１８】
請求項４の発明は、請求項１，２又は３の発明に加えて、前記髪栄養供給部を全体的に前記ヘアブラシに係止する係止手段を設け、当該係止手段が平面ファスナから形成されたことを特徴とするものである。
【００１９】
かかる構成であるので、請求項１〜３記載の発明と同様な作用・効果を奏するとともに、髪栄養供給部は全体的にヘアブラシに係止されているので、ヘアブラシを動かして整髪する場合に、髪栄養供給部の一部でも不規則に動くようなことはなくなる。これにより、一段と整髪がし易くなる。
【００２０】
また、平面ファスナによる髪栄養供給部材のヘアブラシへの係止を解除して、当該髪栄養供給部材をヘアブラシのベース面から離れる方向に移動させて当該ヘアブラシから取り外すことができる。この際、髪栄養供給部材は、ヘアブラシの各ブリッスルと摺接するので、当該各ブリッスルに付着した汚れや髪の毛を効果的に排除できる。また、髪栄養供給部材はヘアブラシから取り外すことができるので、ヘアブラシの各ブリッスル等に邪魔されることなく奇麗に清掃できる。これにより、髪栄養供給部材およびヘアブラシを清潔な状態で使用することができる。
【発明の効果】
【００２１】
上記構成の本発明に係る髪栄養供給部材は、ヘアブラシで整髪する動作を利用して養毛も行うことができる。
【図面の簡単な説明】
【００２２】
【図１】第１の実施形態に係る髪栄養供給部材の全体構成を示す図である。
【図２】第１の実施形態に係る髪栄養供給部材のヘアブラシへの装着を示す正面図である。
【図３】第１の実施形態に係る髪栄養供給部材のヘアブラシへの装着を示す側面図である。
【図４】図３のヘアブラシを用いての整髪を説明するための図である。
【図５】髪栄養供給部によるヘアブラシの各ブリッスルの有効整髪部分長さを調節する調節手段を説明するための図である。
【図６】第２の実施形態に係る髪栄養供給部材のヘアブラシへの装着を示す図（２）である。
【図７】第２の実施形態に係る髪栄養供給部材がヘアブラシに装着された状態を示す側面図である。
【図８】第２の実施形態に係る髪栄養供給部材がヘアブラシに装着された状態を示す正面図である。
【図９】第２の実施形態に係る髪栄養供給部材がヘアブラシに装着された状態を示す背面図である。
【図１０】図９のヘアブラシを用いて頭髪を整髪する様子を説明するための図である。
【図１１】髪栄養供給部材の変形例を説明するための図である。
【図１２】本発明が装着されるヘアブラシを示す図である。
【発明を実施するための形態】
【００２３】
以下、本発明に係る髪栄養供給部材の最良の実施形態について図面を参照しながら説明する。
【００２４】
（第１実施形態）
【００２５】
本髪栄養供給部材１０は、例えば図１２に示すヘアブラシ５０に装着されて使用されるものであって、ヘアブラシ５０で頭髪を整髪する動作を利用して養毛も行うことができるものである。
【００２６】
なお、上記ヘアブラシは、本体部５１と柄５９とが一体形成されており、本体部５１のベース面５２には複数本のブリッスル５５が植設されている。本体部５１のベース面５２が、弾性変形可能に形成されていてもよい。
【００２７】
この本髪栄養供給部材１０は、髪栄養供給部１１を備えた構成とされている。
詳しくは、髪栄養供給部１１は、図１（Ａ）に示すように、矢印Ｙ方向に整列されかつ各両端部（２２，２３）が固定部材（２５，２６）を用いて結束された複数本の絹糸２１から形成されている。この実施形態では、髪栄養供給部１１は、縦寸法Ｈ０、横寸法Ｌ０および厚さＴの長方形のシート形状とされ、上記各両端部（２２，２３）を除いた任意の部分で折り畳み可能に形成されている。また、各両端部（２２，２３）を除いた部分（絹糸部分）は、矢印Ｘ方向の変形は規制されているもののＹ方向の変形（撓み変形）は広範囲にわたって自由とされている。また、この実施形態では、絹糸２１としては、天然の蚕が出す生糸が使用されている。
【００２８】
この髪栄養供給部１１は、ヘアブラシ５０の各ブリッスル５５の挿通を許容し、図３に示すように、当該各ブリッスル５２の挿通後はそれら各ブリッスル５５の有効整髪部分（長さＬ１部分）を露出させた状態を保持するとともに髪（ｈ）と接触して絹のセリシン成分を供給可能である。なお、図３中、Ｌはヘアブラシ５０のブリッスル５２の全長、Ｌ２は髪栄養供給部１１によって隠されるブリッスル５２の根元部分の長さを示す。
【００２９】
次に、上記した構成の本髪栄養供給部材１０のヘアブラシ５０への装着について説明する。
【００３０】
まず、髪栄養供給部材１０の髪栄養供給部１１を張った状態でヘアブラシ５０のベース面５２に近づける。そして、図３にしめすように、ヘアブラシ５０の各ブリッスル５２が髪栄養供給部１１の複数の絹糸２１間を通り抜け、当該各ブリッスル５２が有効整髪長さＬ１だけ突出するまで髪栄養供給部１１をヘアブラシ５０のベース面５２に近づける。そして、図３に示すように、髪栄養供給部１１を、その一部分がヘアブラシ５０のベース面５２と接触させる。
【００３１】
なお、かかる状態では、髪栄養供給部１１のヘアブラシ５０のベース面５２と接触していない部分は、当該ベース面５２から横方向に張り出すことになるが、当該供給部１１を構成している複数本の絹糸２１は腰が強く過度に垂れ下がるようなことはない。また、ヘアブラシ５０の各ブリッスル５２の髪栄養供給部１１の挿通は、当該供給部１１を構成している絹糸２１が整列方向（Ｙ方向）に撓み変形可能であるので容易に行える。また、絹糸２１は高摩擦係数を有する素材であるので、髪栄養供給部１１とヘアブラシ５０の各ブリッスル５５との間には強い摩擦力が発生することになり、当該髪栄養供給部１１がヘアブラシ５０から脱落したり位置ずれしたりしてしまうようなことはない。
【００３２】
こうして髪栄養供給部材１０がヘアブラシ５０に装着されたところで、図４に示すように、当該ヘアブラシ５０を用いて頭髪（ｈ）を梳いて整髪すると、髪（ｈ）の毛と髪栄養供給部１１と摺接するので当該髪（ｈ）の毛に髪栄養供給部１１から絹のセリシン成分が供給される。この際、髪（ｈ）の毛又は髪栄養供給部１１を水でぬらしておくと、より好適である。
【００３３】
すると、髪（ｈ）の毛の外側層を構成する複数のキューティクル同士の隙間からセリシン成分が当該毛の内層（コルテックス）へ浸透する。これにより、髪（ｈ）の毛は供給されたセリシンにより適度な水分を保つことになり、髪（ｈ）はハリ、コシがあり、艶をもつようになる。
【００３４】
上記ヘアブラシ５０を用いて整髪して、例えば髪栄養供給部１１が汚れた場合には、当該髪栄養供給部材１０をヘアブラシ５０のベース面５２から離れる方向に移動させて当該ヘアブラシ５０から取り外すことができるので、ヘアブラシ５０のブリッスル５５に邪魔されることなく清掃して奇麗にすることができる。なお、上記髪栄養供給部材１０を取り外す際に、髪栄養供給部１１（複数の絹糸２２）部分が上記ブリッスル５５と摺接するので、当該ブリッスル５５に付着したゴミや髪の毛等を排除することもできるのでヘアブラシ５０を清潔に維持することができる。
【００３５】
（第２実施形態）
【００３６】
第２実施形態に係る髪栄養供給部材１０は、基本的構成は第１実施形態と同様であるが髪栄養供給部１１を全体的にヘアブラシ５０に係止する係止手段を設けた構成とされている。
【００３７】
詳しくは、係止手段１５は、平面ファスナ１６から構成されている。平面ファスナ１６は、髪栄養供給部１１の固定部材２５に設けられた雄部１７と、固定部材２６に設けられた雌部１８とから形成されている。雄部１７は、複数個の係合突起（拡大頭部を有している）から形成されている。また、雌部１８は、上記係合突起と絡み合う不織布から形成されている。
【００３８】
上記した平面ファスナ１６を用いて髪栄養供給部１１を全体的にヘアブラシ５０に係止するには、図６中２点鎖線で示すように、髪栄養供給部１１の固定部材（２５，２６）がヘアブラシ５０のベース面５２の背面側となるように折る。そして、髪栄養供給部１１の固定部材（２５，２６）に設けられている平面ファスナ１６の雄部１７と雌部１８とを絡み合わせる。これにより、髪栄養供給部材１０は、図７に示すように、ヘアブラシ５０にそのベース面５２を覆うように装着される。
【００３９】
なお、係止手段１５を平面ファスナ１６以外の手段（例えば、ホック）で構成してもよい。
【００４０】
このように係止手段１５を用いて髪栄養供給部１１を全体的にヘアブラシ５０に係止したので、ヘアブラシ５０を動かして整髪する場合に、髪栄養供給部１１の一部でも不規則に動くようなことはなくなる。これにより、一段と整髪がし易くなる。
【００４１】
また、平面ファスナ１６による髪栄養供給部材１０のヘアブラシ５０への係止を解除して、当該髪栄養供給部材１０をヘアブラシ５０のベース面５２から離れる方向に移動させて当該ヘアブラシ５０から取り外すことができる。  この際、髪栄養供給部１１は、ヘアブラシ５０の各ブリッスル５５と摺接するので、当該各ブリッスル５５に付着した汚れや髪の毛を効果的に排除できる。また、髪栄養供給部材１０２をヘアブラシ５０から取り外すことができるので、ヘアブラシ５０の各ブリッスル５５に邪魔されることなく奇麗に清掃できる。これにより、髪栄養供給部材１０およびヘアブラシ５０を清潔な状態で使用することができる。
【００４２】
上記した第１，２実施形態において、髪栄養供給部１１によるヘアブラシ５０の各ブリッスル５５の有効整髪部分長さ（Ｌ１）を調節する調節手段を設けてもよい。例えば、かかる調節手段を、図５に示すように、ヘアブラシ５０のベース面５２と髪栄養供給部１１との介在させるスペーサ３１から構成する。スペーサ３１としては、本発明の髪栄養供給部材１０と同一構成のものを採用できる。このスペーサ３１の厚みを適宜代えることにより、上記したヘアブラシ５０の各ブリッスル５５の有効整髪部分長さ（Ｌ１）を調節できる。このように、ヘアブラシ５０の各ブリッスル５５の有効整髪部分長さ（Ｌ１）を調節することにより、頭髪（ｈ）の状態に合わせて当該頭髪と髪栄養供給部１１との接触の程度を一段と簡単に加減することができる。
【００４３】
なお、上記第１，第２実施形態では、髪栄養供給部材１０の髪栄養供給部１１を結束した多数の絹糸２１から形成したが、図１１に示すように、絹糸の織物（目の粗いガーゼ状）より形成してもよい。
【符号の説明】
【００４４】
１０  髪栄養供給部材
１１  係止手段
１５  係止手段
１６  平面ファスナ
１７  雄部
１８  雌部
２１  絹糸
２２，２３  両端部
２５，２６  固定部材
３１  スペーサ（調節手段）
５０  ヘアブラシ
５１  本体
５２  ベース面
５３  柄
５５  ブリッスル
５６  有効整髪部分
５９  柄
【図１】
2014023673.tif 000003
【図２】
2014023673.tif 000004
【図３】
2014023673.tif 000005
【図４】
2014023673.tif 000006
【図５】
2014023673.tif 000007
【図６】
2014023673.tif 000008
【図７】
2014023673.tif 000009
【図８】
2014023673.tif 000010
【図１０】
2014023673.tif 000011
【図１１】
2014023673.tif 000012
【図１２】
2014023673.tif 000013
【図９】
2014023673.tif 000014